(57)【要約】【課題】画像データを印刷する際に、印刷装置の印字色で表された画像データを表示装置に表示可能なプログラム、装置および方法を提供すること。【解決手段】本発明のプログラムは、画像データを処理する装置に対して、印刷対象の画像データの色空間をデバイス非依存の色空間に変換する色基準情報を生成するステップと、色基準情報および装置の表示装置のプロファイルを使用して、印刷対象の画像データからプレビュー画像を生成するステップと、プレビュー画像を表示装置に表示するステップとを実行させる。【選択図】図２
2016029771.tif 000002
【特許請求の範囲】
【請求項１】
画像データを処理する装置が実行可能なプログラムであって、前記装置に対し、
印刷対象の画像データの色空間をデバイス非依存の色空間に変換する色基準情報を生成するステップと、
前記色基準情報および前記装置の表示装置のプロファイルを使用して、印刷対象の画像データからプレビュー画像を生成するステップと、
前記プレビュー画像を前記表示装置に表示するステップと
を実行させる、プログラム。
【請求項２】
前記プレビュー画像を生成するステップは、
前記色基準情報を用いて、印刷対象の画像データの色空間をデバイス非依存の色空間に変換するステップと、
デバイス非依存の色空間に変換された印刷対象の画像データの色空間を、前記表示装置のプロファイルを使用して前記表示装置に依存する色空間に変換するステップと
を含む、請求項１に記載のプログラム。
【請求項３】
前記色基準情報を生成するステップは、
ユーザの指示に基づいて、印刷対象の画像データに対して色保証処理を施すステップを含む、請求項１または２に記載のプログラム。
【請求項４】
画像データを処理する装置が実行する方法であって、
印刷対象の画像データの色空間をデバイス非依存の色空間に変換する色基準情報を生成するステップと、
前記色基準情報および前記装置の表示装置のプロファイルを使用して、印刷対象の画像データからプレビュー画像を生成するステップと、
前記プレビュー画像を前記表示装置に表示するステップと
を含む、方法。
【請求項５】
前記プレビュー画像を生成するステップは、
前記色基準情報を用いて、印刷対象の画像データの色空間をデバイス非依存の色空間に変換するステップと、
デバイス非依存の色空間に変換された印刷対象の画像データの色空間を、前記表示装置のプロファイルを使用して前記表示装置に依存する色空間に変換するステップと
を含む、請求項４に記載の方法。
【請求項６】
前記色基準情報を生成するステップは、
ユーザの指示に基づいて、印刷対象の画像データに対して色保証処理を施すステップを含む、請求項４または５に記載の方法。
【請求項７】
画像データを処理する装置であって、
印刷対象の画像データの色空間をデバイス非依存の色空間に変換する色基準情報を生成する色基準生成手段と、
前記色基準情報および前記装置の表示装置のプロファイルを使用して、印刷対象の画像データからプレビュー画像を生成するプレビュー画像生成手段と、
前記プレビュー画像を前記表示装置に表示する表示制御手段と
を備える、装置。
【請求項８】
前記プレビュー画像生成手段は、
前記色基準情報を用いて、印刷対象の画像データの色空間をデバイス非依存の色空間に変換し、デバイス非依存の色空間に変換された印刷対象の画像データの色空間を、前記表示装置のプロファイルを使用して前記表示装置に依存する色空間に変換することを特徴とする、請求項７に記載の装置。
【請求項９】
前記色基準生成手段は、
ユーザの指示に基づいて、印刷対象の画像データに対して色保証処理を施すことを特徴とする、請求項７または８に記載の装置。
【発明の詳細な説明】
【技術分野】
【０００１】
本発明は、画像データ処理技術に関し、より詳細には、画像データを印刷する際に、印刷装置の印字色で表された画像データを表示するプログラム、装置および方法に関する。
【背景技術】
【０００２】
従来、異なる装置の間で、画像データの色空間を変換するカラーマネージメント技術が利用されている。カラーマネージメント技術では、デバイスの色空間の特性を定義したＩＣＣ（International Color Consortium）プロファイル等のデバイス固有のプロファイルを用いて、特定のデバイスに依存する色空間と、特定のデバイスに依存しない色空間（ＰＣＳ：Profile Connection Space）との間で色空間の変換を行う。
【０００３】
このようなカラーマネージメント技術を利用した従来技術の一例として、特許文献１は、２つの印刷装置のＣＭＹＫデータをデバイス非依存のＬ＊ａ＊ｂに変換し、これらの印刷装置の間の印字色の違いを修正するデバイスリンクプロファイルを生成する色変換装置を開示する。
【発明の概要】
【発明が解決しようとする課題】
【０００４】
しかしながら、特許文献１が開示する色変換装置では、２つの印刷装置の間の印刷物の印字色の色値の違いを修正するものの、印刷対象の画像データを印刷装置の印字色で表して表示装置に表示することができず、ユーザが、実際に印刷物に印字される色で表された印刷対象の画像データをプレビューできないという問題があった。
【０００５】
本発明は、上述した従来技術の問題点に鑑みてなされたものであり、画像データを印刷する際に、印刷装置の印字色で表された画像データを表示装置に表示可能なプログラム、装置および方法を提供することを目的とする。
【課題を解決するための手段】
【０００６】
本発明のプログラムは、画像データを処理する装置に対して、印刷対象の画像データの色空間をデバイス非依存の色空間に変換する色基準情報を生成するステップと、色基準情報および装置の表示装置のプロファイルを使用して、印刷対象の画像データからプレビュー画像を生成するステップと、プレビュー画像を表示装置に表示するステップとを実行させる。
【発明の効果】
【０００７】
本発明は、画像データを印刷する際に、印刷装置の印字色で表された画像データを表示装置に表示することができる。
【図面の簡単な説明】
【０００８】
【図１】本発明の情報処理装置のハードウェア構成を示す図。
【図２】本発明の情報処理装置の機能構成を示す図。
【図３】本発明の情報処理装置が実行する処理の一実施形態を示すフローチャート。
【図４】本発明の情報処理装置が実行するＲＧＢ色基準の生成処理を示すフローチャート。
【図５】本発明の情報処理装置が実行する色保証処理を示すフローチャート。
【図６】本発明の情報処理装置が実行するプレビュー画像生成処理を示すフローチャート。
【図７】本発明の情報処理装置が実行する印刷画像生成処理を示すフローチャート。
【図８】第１の変換テーブル（ＲＧＢ／ＰＣＳ）の一実施形態を示す図。
【図９】第２の変換テーブル（ＰＣＳ／ＣＭＹＫ）の一実施形態を示す図。
【図１０】第３の変換テーブル（ＣＭＹＫ／ＰＣＳ）の一実施形態を示す図。
【図１１】色基準情報の一実施形態を示す図。
【図１２】本発明の画像形成装置のハードウェア構成を示す図。
【図１３】本発明の画像形成装置の機能構成を示す図。
【図１４】色基準情報のヘッダ情報の一実施形態を示す図。
【発明を実施するための形態】
【０００９】
図１は、本発明の情報処理装置のハードウェア構成を示す図である。情報処理装置１００は、種々の画像データを処理する装置である。情報処理装置１００は、プロセッサ１０１と、ＲＯＭ１０２と、ＲＡＭ１０３と、ＨＤＤ１０４と、ネットワークインタフェースカード（ＮＩＣ）とを備える。これらの装置は、バスを介して通信可能に接続される。
【００１０】
プロセッサ１０１は、情報処理装置１００の動作を制御するプログラムを実行する演算装置である。ＲＯＭ１０２は、ブートプログラムなどのデータを保存可能な不揮発性の記憶装置である。ＲＡＭ１０３は、情報処理装置１００が実行するプログラムの実行空間を提供する揮発性の記憶装置である。ＨＤＤ１０４は、種々のプログラミング言語で記述可能な本発明のプログラムや印刷対象の画像データなどのデータを保存可能な不揮発性の記憶装置である。
【００１１】
プロセッサ１０１は、情報処理装置１００のＯＳの制御下で本発明のプログラムをＨＤＤ１０４から読み出し、ＲＡＭ１０３に展開して実行することにより、後述する機能を実現する。ＮＩＣ１０５は、情報処理装置１００と外部装置との間のデータ通信を制御する手段である。情報処理装置１００は、ＮＩＣ１０５を介して印刷装置（図示せず）に印刷データを送信して印刷処理の実行を要求する。
【００１２】
図２は、本発明の情報処理装置の機能構成を示す図である。以下、図２を参照して情報処理装置１００の機能構成について説明する。
【００１３】
情報処理装置１００は、表示制御部２０１と、色保証指定部２０２と、色基準生成部２０３と、色保証処理部２０４と、プレビュー画像生成部２０５と、印刷処理部２０６とを有する。
【００１４】
表示制御部２０１は、情報処理装置１００の表示装置に表示される画面を制御する手段である。表示制御部２０１は、色保証処理を施す色相の指定やプレビュー画像の表示、印刷の実行を指示可能な印刷指示画面を情報処理装置１００の表示装置に表示する。
【００１５】
色保証指定部２０２は、色保証処理を施す色相を指定する手段である。色相は０〜３６０度の値を採り、０度が赤色、６０度が黄色、１２０度が緑色、１８０度がシアン、２４０度が青色、３００度がマゼンタに相当する。ユーザが印刷指示画面を用いて、色保証処理を施す色相を指定すると、色保証指定部２０２は、ユーザの指定した色相を示す色相指定情報を生成すると共に、色保証処理の実行の要否を示す色保証指定フラグをＯＮにする。
【００１６】
色基準生成部２０３は、入力画像データのＲＧＢ値と、当該ＲＧＢ値に対応するデバイス非依存のＰＣＳ値とを対応付ける色基準情報を生成する手段である。色基準生成部２０３は、図４に示す色基準生成処理を実行して色基準情報を生成する。本実施形態では、色基準生成部２０３は、図１４に示すように、色相指定情報を色基準情報のヘッダ情報として付加する。
【００１７】
色保証処理部２０４は、入力画像データに対して色保証処理を施す行う手段である。色保証処理部２０４は、ユーザが印刷指定画面を用いて指定した入力画像データの色相の混色を防止する混色防止処理を実行する。
【００１８】
プレビュー画像生成部２０５は、プレビュー画像を生成する手段である。プレビュー画像生成部２０５は、色基準情報を用いて入力画像データをＲＧＢ値からデバイス非依存のＰＣＳ値に変換し、表示装置のプロファイルを用いて、当該ＰＣＳ値をＲＧＢ値に変換してプレビュー画像を生成する。表示装置のプロファイルは、デバイス非依存のＰＣＳ値を表示装置に依存するＲＧＢ値に変換する変換情報である。これにより、プレビュー画像生成部２０５は、表示装置に依存する色空間で表されたプレビュー画像を生成することができる。
【００１９】
印刷処理部２０６は、入力画像データから印刷画像を生成して印刷処理を実行する手段である。印刷処理部２０６は、色基準情報を用いて、入力画像データをＲＧＢ値からデバイス非依存のＰＣＳ値に変換し、印刷装置のプロファイルを用いて、当該ＰＣＳ値をＣＭＹＫ値に変換して印刷画像を生成する。印刷装置のプロファイルは、デバイス非依存のＰＣＳ値を印刷装置に依存するＣＭＹＫ値に変換する変換情報である。
【００２０】
図３は、本発明の情報処理装置が実行する処理の一実施形態を示すフローチャートである。以下、図３を参照して、印刷指示画面の起動が指示された場合に、情報処理装置１００が実行する処理について説明する。
【００２１】
図３に示す処理は、ユーザが印刷指示画面の起動を指示することにより、ステップＳ３００から開始する。ステップＳ３０１では、表示制御部２０１が、ユーザが印刷指示画面を用いて行った指示の種類を判断する。ユーザの指示が色保証指定の指示である場合は、ステップＳ３０２に処理が分岐する。
【００２２】
ステップＳ３０２では、表示制御部２０１は、ユーザが印刷指示画面を用いて、色保証処理を行う色相を指定したか否か判断する。ユーザが色相を指定していない場合は（ｎｏ）、ステップＳ３０２の処理を反復する。一方、ユーザが色相を指定した場合は（ｙｅｓ）、ステップＳ３０３に処理が分岐する。ステップＳ３０３では、色保証指定部２０２が、ユーザの指定した色相を示す色相指定情報を生成して、情報処理装置１００の記憶装置に保存する。ステップＳ３０４では、色保証指定部２０２は、色保証フラグをオンにし、ステップＳ３１１で処理が終了する。
【００２３】
ステップＳ３０１でユーザの指示がプレビュー画面の表示指示であると判断した場合は、ステップＳ３０５に処理が分岐する。ステップＳ３０５では、色基準生成部２０３が、図４に示す色基準生成処理を実行する。
【００２４】
ステップＳ３０６では、プレビュー画像生成部２０５が、図６に示すプレビュー画像生成処理を実行する。ステップＳ３０７では、表示制御部２０１が、プレビュー画像生成部２０５の生成したプレビュー画像を表示装置に表示し、ステップＳ３１１で処理が終了する。
【００２５】
ステップＳ３０１でユーザの指示が印刷指示であると判断した場合は、ステップＳ３０８に処理が分岐する。ステップＳ３０８では、色基準生成部２０３が、図４に示す色基準生成処理を実行する。ステップＳ３０９では、印刷処理部２０６が、図７に示す印刷画像生成処理を実行する。ステップＳ３１０では、印刷処理部２０６は、印刷要求と共に、ステップＳ３０９で生成した印刷画像を印刷装置に送信し、ステップＳ３１１で処理が終了する。
【００２６】
図４は、色基準生成処理の一実施形態を示すフローチャートである。図４に示す処理は、ステップＳ４００から開始し、ステップＳ４０１で色基準生成部２０３が、図８に示すような第１の変換テーブル（ＲＧＢ／ＰＣＳ）を記憶装置から読み込む。
【００２７】
図８に示す第１の変換テーブル（ＲＧＢ／ＰＣＳ）では、ＲＧＢ色空間を均等に分割したＲＧＢ値に対して、ＰＣＳであるＬ＊ａ＊ｂ値が対応付けられている。本実施形態では、３次元のルックアップテーブル形式で記述された変換テーブルを使用するが、他の実施形態では、ＲＧＢ値から対応するＬ＊ａ＊ｂ値を導出する３×３の変換マトリクスやγ値の計算式を使用してもよい。また、他の実施形態では、Ｌ＊ａ＊ｂ値の代わりにＸＹＺ値をＰＣＳとして使用してもよい。
【００２８】
ステップＳ４０２では、色基準生成部２０３は、図９に示すような第２の変換テーブル（ＰＣＳ／ＣＭＹＫ）および図１０に示すような第３の変換テーブル（ＣＭＹＫ／ＰＣＳ）を記憶装置から読み込む。
【００２９】
図９に示す第２の変換テーブル（ＰＣＳ／ＣＭＹＫ）では、Ｌ＊ａ＊ｂ色空間を均等に分割したＬ＊ａ＊ｂ値に対して、ＣＭＹＫ値が対応付けられている。図１０に示す第３の変換テーブル（ＣＭＹＫ／ＰＣＳ）では、ＣＭＹＫ色空間を均等に分割したＣＭＹＫ値に対して、Ｌ＊ａ＊ｂ値が対応付けられている。
【００３０】
ステップＳ４０３では、色基準生成部２０３は、第１の変換テーブル（ＲＧＢ／ＰＣＳ）を用いて、ステップＳ４０１で読み込んだ入力画像データのＲＧＢ値をＰＣＳ値に変換する。ステップＳ４０４では、色基準生成部２０３は、第２の変換テーブル（ＰＣＳ／ＣＭＹＫ）を用いて、ステップＳ４０３で算出したＰＣＳ値をＣＭＹＫ値に変換する。
【００３１】
ステップＳ４０５では、色基準生成部２０３は、色保証指定フラグを参照し、色保証処理を行うか否か判断する。より詳細には、色基準生成部２０３は、色保証指定フラグがオンになっている場合は、色保証処理を行うと判断する。
【００３２】
色保証処理を行わないと判断した場合は（ｎｏ）、ステップＳ４０７に処理が分岐する。一方、色保証処理を行うと判断した場合は（ｙｅｓ）、ステップＳ４０６に処理が分岐する。ステップＳ４０６では、色保証処理部２０４が、図５に示す色保証処理を実行する。色基準情報の作成過程で色保証処理を実行することにより、当該色基準情報を参照して生成されるプレビュー画像において、印刷装置の色味を反映したプレビュー画像を生成することができる。
【００３３】
ステップＳ４０７では、色基準生成部２０３は、第３の変換テーブル（ＣＭＹＫ／ＰＣＳ）を用いて、ステップＳ４０３で算出したＣＭＹＫ値またはステップＳ４０６で色保証処理を施したＣＭＹＫ値をＰＣＳ値に変換する。ステップＳ４０８では、色基準生成部２０３は、図１１に示すような、入力画像データのＲＧＢ値と、ステップＳ４０７で算出したＰＣＳ値とを対応付ける色基準情報を生成して記憶装置に保存し、ステップＳ４０９で処理が終了する。図１１に示す色基準情報では、ＩＣＣプロファイル形式で、ＲＧＢ色空間を均等に分割したＲＧＢ値と、ステップＳ４０７で算出したＰＣＳ値とが、対応付けられている。
【００３４】
図５は、色保証処理の一実施形態を示すフローチャートである。図５に示す処理は、ステップＳ５００から開始し、ステップＳ５０１で色保証処理部２０４が、数式１を用いて、入力画像データのＲＧＢ値をＨＬＳ値に変換する。
【００３５】
【数１】
2016029771.tif 000003
ここで、Ｈは色相（０〜３６０度）を示し、Ｌは明度（０〜１）を示す。Ｓは彩度（０〜１）を示し、Ｓの値が１に近いほどＲＧＢ空間の外郭に近づき、Ｓの値が１のときにＲＧＢ空間の外郭を表す。Ｃｒ，Ｃｇ，Ｃｂは中間変数を示す。
【００３６】
ステップＳ５０２では、色保証処理部２０４は、ステップＳ５０１で算出した入力画像データの色相（Ｈ値）が、色相指定情報が示す色相と近似する否か判断する。本実施形態では、色指定情報が示す色相とＨ値との差異が、任意の度数（例えば、３度等）以内である場合、色保証処理部２０４は、これらが近似すると判断する。
【００３７】
例えば、色指定情報が示す色相が０度（赤色）、６０度（黄色）、２４０度（青色）、３００度（マゼンタ）であり、ステップＳ５０１で算出したＨ値が２９８である場合、色保証処理部２０４は、当該Ｈ値（２９８）が３００度（マゼンタ）に近似すると判断する。
【００３８】
入力画像データの色相がユーザの指定した色相と近似しない場合は（ｎｏ）、ステップＳ５０５で処理が終了する。一方、入力画像データの色相がユーザの指定した色相と近似する場合は（ｙｅｓ）、ステップＳ５０３に処理が分岐する。
【００３９】
ステップＳ５０３では、色保証処理部２０４は、ステップＳ５０１で算出した入力画像データの彩度（Ｓ値）が、所定値以上である否か判断する。本実施形態では、色保証処理部２０４は、入力画像データの彩度（Ｓ値）が、例えば、０．９５以上であるか否か判断する。
【００４０】
入力画像データの彩度（Ｓ値）が所定値よりも小さい場合は（ｎｏ）、ステップＳ５０５で処理が終了する。一方、入力画像データの彩度（Ｓ値）が所定値以上である場合は（ｙｅｓ）、ステップＳ５０４に処理が分岐する。
【００４１】
ステップＳ５０４では、色保証処理部２０４は、入力画像データのＲＧＢ値からＰＣＳ値を介して変換されたＣＭＹＫ値に対して混色防止処理を施し、ステップＳ５０５で処理が終了する。混色防止処理では、色保証処理部２０４は、入力画像データのＣＭＹＫ値のうち、ステップＳ５０１で算出した色相（Ｈ）に近似する色相と、Ｋ以外の色の値を０にする。
【００４２】
例えば、入力画像データのＣＭＹＫ値が（Ｃ，Ｍ，Ｙ，Ｋ）＝（５，２５０，２０，５）であり、ステップＳ５０１で算出した色相（Ｈ）に近似する色相がマゼンタである場合、色保証処理部２０４は、入力画像データのＣＭＹＫ値を（Ｃ，Ｍ，Ｙ，Ｋ）＝（０，２５０，０，５）にする。また、ステップＳ５０１で算出した色相（Ｈ）に近似する色相が赤色に該当する場合、ＣＭＹＫ値のうち赤色を構成するマゼンタ（Ｍ）および黄色（Ｙ）とＫ以外の色、すなわち、シアン（Ｃ）の値を０とする。
【００４３】
図６は、プレビュー画像生成処理の一実施形態を示すフローチャートである。図６に示す処理は、ステップＳ６００から開始し、ステップＳ６０１でプレビュー画像生成部２０５が、プレビュー対象の画像データを取得する。ステップＳ６０２では、プレビュー画像生成部２０５は、プレビュー画像を表示する表示装置のプロファイルである第４の変換テーブル（ＰＣＳ／ＲＧＢ）および色基準情報を記憶装置から読み込む。
【００４４】
ステップＳ６０３では、プレビュー画像生成部２０５は、色基準情報を用いて、プレビュー対象の画像データのＲＧＢ値をＰＣＳ値に変換する。ステップＳ６０４では、プレビュー画像生成部２０５は、第４の変換テーブル（ＲＧＢ／ＰＣＳ）を用いて、ステップＳ６０３で算出したＰＣＳ値をＲＧＢ値に変換してプレビュー画像を生成し、ステップＳ６０５で処理が終了する。
【００４５】
図７は、印刷画像生成処理の一実施形態を示すフローチャートである。図７に示す処理は、ステップＳ７００から開始し、ステップＳ７０１で印刷処理部２０６が、印刷対象の画像データを取得する。ステップＳ７０２では、印刷処理部２０６は、印刷対象の画像データを印刷する印刷装置のプロファイルと色基準情報とを記憶装置から読み込む。ステップＳ７０３では、印刷処理部２０６は、色基準情報を用いて、印刷対象の画像データのＲＧＢ値をＰＣＳ値に変換する。
【００４６】
ステップＳ７０４では、印刷処理部２０６は、印刷装置のプロファイルである第２の変換テーブル（ＰＣＳ／ＣＭＹＫ）を用いて、ステップＳ７０３で算出したＰＣＳ値をＣＭＹＫ値に変換し、印刷画像を生成する。ステップＳ７０５では、印刷処理部２０６は、色保証指定フラグを参照し、色保証処理を行うか否か判断する。
【００４７】
色保証処理を行わないと判断した場合は（ｎｏ）、ステップＳ７０７で処理が終了する。一方、色保証処理を行うと判断した場合は（ｙｅｓ）、ステップＳ７０６に処理が分岐する。ステップＳ７０６では、色保証処理部２０４が、図５に示す色保証処理を実行し、ステップＳ７０７で処理が終了する。
【００４８】
図１２は、本発明の画像形成装置のハードウェア構成を示す図である。画像形成装置１２００は、種々の画像データを印刷する装置である。画像形成装置１２００は、プロセッサ１２０１と、ＲＯＭ１２０２と、ＲＡＭ１２０３と、ＨＤＤ１２０４と、ＮＩＣ１２０５と、操作パネル１２０６と、プロッタ１２０７とを備える。これらの装置は、バスを介して通信可能に接続される。
【００４９】
プロセッサ１０１は、画像形成装置１２００の動作を制御するプログラムを実行する演算装置である。ＲＯＭ１２０２は、ブートプログラムなどのデータを保存可能な不揮発性の記憶装置である。ＲＡＭ１２０３は、画像形成装置１２００が実行するプログラムの実行空間を提供する揮発性の記憶装置である。ＨＤＤ１２０４は、種々のプログラミング言語で記述可能な本発明のプログラムや印刷対象の画像データなどのデータを保存可能な不揮発性の記憶装置である。
【００５０】
プロセッサ１２０１は、画像形成装置１２００のＯＳの制御下で本発明のプログラムをＨＤＤ１２０４から読み出し、ＲＡＭ１２０３に展開して実行することにより、後述する機能を実現する。
【００５１】
ＮＩＣ１２０５は、画像形成装置１２００と外部装置との間のデータ通信を制御する手段である。画像形成装置１２００は、外部装置からＮＩＣ１２０５を介して印刷対象の画像データを受信する。操作パネル１２０６は、印刷指示画面等の任意の画像を表示すると共に、ユーザの指示を受け付ける手段である。
【００５２】
図１３は、本発明の画像形成装置の機能構成を示す図である。以下、図１３を参照して画像形成装置１２００の機能構成について、図２に示す情報処理装置１００との相違点を中心に説明する。
【００５３】
画像形成装置１２００は、画像処理部１３００と、操作パネル制御部１３１０とを有する。操作パネル制御部１３１０は、操作パネル１２０６の表示を制御する手段であり、表示制御部１３１１と、色保証指定部１３１２とを有する。
【００５４】
表示制御部１３１１は、操作パネル１２０６の画面表示を制御する手段である。表示制御部１３１１は、印刷指示画面を操作パネル１２０６に表示する。色保証指定部１３１２は、色保証処理を施す色相を指定する手段である。
【００５５】
画像処理部１３００は、画像データを処理する手段であり、受信部１３０１と、色基準生成部１３０２と、色保証処理部１３０３と、プレビュー画像生成部１３０４と、印刷処理部１３０５とを有する。
【００５６】
受信部１３０１は、外部装置からＮＩＣ１２０５を介して入力画像データを受信する手段である。受信部１３０１は、入力画像データを受信すると、画像形成装置１２００の記憶装置に保存する。
【００５７】
プレビュー画像生成部１３０４は、操作パネル１２０６に表示されるプレビュー画像を生成する手段である。印刷処理部１３０５は、入力画像データから印刷画像を生成して印刷処理を実行する手段である。印刷処理部１３０５は、印刷画像を生成すると、プロッタ１２０７を制御して印刷処理を実行する。
【００５８】
これまで本発明の実施形態につき説明してきたが、本発明は、上述した実施形態に限定されるものではなく、上述した実施形態の構成要素を変更若しくは削除し、または上述した実施形態の構成要素に他の構成要素を追加するなど、当業者が想到することができる範囲内で変更することができる。いずれの態様においても本発明の作用効果を奏する限り、本発明の範囲に含まれるものである。
【符号の説明】
【００５９】
１００…情報処理装置、１２００…画像形成装置
【先行技術文献】
【特許文献】
【００６０】
【特許文献１】特開２０１２−２８９２５
【図１】
2016029771.tif 000004
【図２】
2016029771.tif 000005
【図３】
2016029771.tif 000006
【図４】
2016029771.tif 000007
【図５】
2016029771.tif 000008
【図６】
2016029771.tif 000009
【図７】
2016029771.tif 000010
【図８】
2016029771.tif 000011
【図９】
2016029771.tif 000012
【図１０】
2016029771.tif 000013
【図１１】
2016029771.tif 000014
【図１２】
2016029771.tif 000015
【図１３】
2016029771.tif 000016
【図１４】
2016029771.tif 000017